(57)【特許請求の範囲】
【請求項１】
戸の構造、寸法、デザインなど戸側の条件如何に拘わらず、錠箱とデッドボルトの組み合わせ構造において、
（１）  錠箱の「ケース深さ寸法Ｃ」が同一であること、
（２）  錠箱にシリンダー又はサムターン装着用嵌合孔が形成されていること、
（３）  前記嵌合孔の下方の部位に形成されたデッドボルト用水平案内長孔が、案内されるスライド部の移動距離の長いデッドボルトにも対応する「所定の長さ」を有していること、
（４）  係合頭部の先端面からスライド部の基準点までのデッドの長さＤＬが「短いもの」と、「長いもの」の二種類以上のデッドボルト２０，２１が選択的に錠箱１に装着されること、
（５）  前記デッドボルト２０，２１のスライド部の移動量Ｍが異なること、
（６）  前記デッドボルト２０，２１は、それぞれ係合頭部３１と、該係合頭部の後端部から水平状態に延びる胴部３２と、該胴部に連設し、かつ対峙的に形成された第１係合部３６並びに第２係合部３７を有する係合脚部３４とから成ること、
（７）  前記第１係合部３６並びに第２係合部３７には、シリンダー又はサムターン側の操作力により常に一定範囲回動するダルマ１７の半径外方向に延在する駆動腕１６が選択的に係合すること、
以上の要件を満足する錠箱とデッドボルトの組み合わせ構造。
【請求項２】
請求項１に於いて、デッドボルト用水平案内長孔が、ケース身に形成されていることを特徴とする錠箱とデッドボルトの組み合わせ構造。
【請求項３】
請求項１に於いて、デッドボルト用水平案内長孔が、ケース蓋に形成されていることを特徴とする錠箱とデッドボルトの組み合わせ構造。
【発明の詳細な説明】
【０００１】
【発明の属する技術分野】
本発明は戸に取り付けられる錠箱と、この錠箱に装着されるデッドボルトの組み合わせ構造に関する。
【０００２】
【従来の技術】
普通一般に、戸（開き戸＝ドア）の構造、寸法、デザインなど戸側の条件如何によって、色々な寸法の錠箱および錠箱に装着されるデッドボルトが選択される。すなわち、戸の選択に対応して錠箱の「ケース深さ寸法Ｃ」が異なるので、「この錠箱には、このデッドボルトを取り付ける」という具合に、錠箱に装着されるデッドボルトの型式も錠箱のそれによって決まっていた。
さて、ケース深さ寸法やバックセットなどの意義については後述するが、たとえば戸の選択に対応して「ケース深さ寸法の長いもの（長いケース身）」を選択した場合には、バックセットの寸法も特定されるので、「このバックセットの寸法及びケース深さ寸法」に適合したデッドボルトが当然選択される。
ところで、今仮に、ケース深さ寸法が長いケース身に適合するデッドボルトを、ケース深さ寸法の短いケース身に使用しようとすれば、「長いものは短いものに適合しない道理」のように、錠箱そのものを当該デットボルトに適合するものに変えざるを得ないという問題点がある。
【０００３】
【発明が解決しようとする課題】
そこで、本発明の錠箱とデッドボルトの組み合わせ構造は、以上のような従来の問題点に鑑み、戸の形態に対応して錠箱を個別的に選択せざるを得ないような不都合を解消できることを主たる目的とする。
【０００４】
【課題を解決するための手段】
本発明の錠箱とデッドボルトの組み合わせ構造は、戸の構造、寸法、デザインなど戸側の条件如何に拘わらず、錠箱とデッドボルトの組み合わせ構造において、
（１）  錠箱の「ケース深さ寸法Ｃ」が同一であること、
（２）  錠箱にシリンダー又はサムターン装着用嵌合孔が形成されていること、
（３）  前記嵌合孔の下方の部位に形成されたデッドボルト用水平案内長孔が、案内されるスライド部の移動距離の長いデッドボルトにも対応する「所定の長さ」を有していること、
（４）  係合頭部の先端面からスライド部の基準点までのデッドの長さＤＬが「短いもの」と、「長いもの」の二種類以上のデッドボルト２０，２１が選択的に錠箱１に装着されること、
（５）  前記デッドボルト２０，２１のスライド部の移動量Ｍが異なること、
（６）  前記デッドボルト２０，２１は、それぞれ係合頭部３１と、該係合頭部の後端部から水平状態に延びる胴部３２と、該胴部に連設し、かつ対峙的に形成された第１係合部３６並びに第２係合部３７を有する係合脚部３４とから成ること、
（７）  前記第１係合部３６並びに第２係合部３７には、シリンダー又はサムターン側の操作力により常に一定範囲回動するダルマ１７の半径外方向に延在する駆動腕１６が選択的に係合すること、という構成要件を満足することを特徴とする。
【０００５】
【発明の実施の形態】
図１乃至図６に示す第１実施例を参照に本発明を説明する。
【０００６】
（１）発明の実施の環境と主要部材
図１及び図５を参照に発明の実施の環境について説明する。１は開閉扉の中に収められる彫り込み型又は扉の内壁面に固定的に取り付けられる錠箱である。この錠箱１には、錠前を構成する主たる部材、例えばデッドボルト、ダルマ、ラッチボルトなどが組み込まれている。そして、デッドボルトにはデッドカム軸を介してシリンダーやサムターンがそれぞれ連結され、一方、ラッチボルトにはハンドルカム軸を介して内外のハンドルが連結されている。本発明の主要部材は、所定寸法の一つの錠箱１と、この錠箱１に選択的に装着される少なくとも２種類のデッドボルトである。
【０００７】
（２）錠箱
図１を参照に錠箱１を構成する部材について説明する。錠箱１は、一側面開口のケース身２と、このケース身２の一側面開口部を閉鎖する板状ケース蓋３と、ケース身２の前壁に取り付けられる長板状のフロント４とから成る。
【０００８】
そこで、まずケース身２について説明する。５は前壁、６は後壁、７は底壁、８は上壁、９は前記各壁と交差する幅広側壁、１０は一側面開口部である。しかして、前壁５にはデッドボルト用案内窓１１やラッチボルト用窓１２がそれぞれ形成されている。また幅広側壁９には複数個の孔が形成されている（本発明の関係のない固定軸用孔、ハンドル用軸孔などは省略している）。
すなわち、１３はダルマ受座１４が臨むシリンダー又はサムターン装着用第１嵌合孔で、この第１嵌合孔１３は、図２で示すようにケース身２の右上隅角部寄りの部位に形成され、上下方向の径が左右方向のそれよりも長い。１５は第１嵌合孔１３よりも下方の部位に形成された水平案内部、本実施例では水平案内長孔である。
【０００９】
この水平案内長孔１５は、後述するピン状のスライド部の移動距離に差を設けた二種類のデッドボルトを選択的に利用することができるように、デッドストローク（突出量）の長い、或いはピン状スライド部の移動距離の長いデッドボルトにも対応する「所定の長さ」を有している。
前記ダルマ受座１４には、駆動腕１６を有するダルマ１７が回動自在に嵌着し、公知のようにダルマ１７はキー又はサムターンの操作によって回動し、デッドボルトの出入りを制御する。また前記フロント４にはケース身２と同様にデッドボルト用案内窓１１ａやラッチボルト用窓１２ａがそれぞれ形成されている。またケース蓋３にはケース身の第１嵌合孔１３に対向する第２嵌合孔１３Ａが形成され、この第２嵌合孔１３Ａに臨むようにケース蓋３の内壁面には、シリンダー又はサムターン用の受座１８が固定されている。
【００１０】
ここで、図２を参照にして「バックセット寸法Ｂ」と「ケース深さ寸法Ｃ」について記述する。一般に当業者間では、「バックセット寸法Ｂ（Ｂａｃｓｅｔ）」とは、フロントの面からシリンダー或いはノブやレバーハンドル等の把手の軸中心までの長さを言う。当然、このバックセット寸法Ｂの長い方に空間的余裕が生じるので、小よりも大の方が望ましい。しかし、実際の所、戸の構造、寸法、デザインなどからさまざまな制約が生じるため、大乃至小の間で色々な寸法のものがある。
【００１１】
一方、「ケース深さ寸法Ｃ」とは、フロント４面から後壁６面までの長さを言う。したがって、ケース深さ寸法Ｃはバックセット寸法Ｂも含むので、このバックセット寸法Ｂが大きくなれば、当然、ケース深さ寸法Ｃも長くなる。したがって、ケース深さ寸法Ｃは、「短いもの（例えば１８ｍｍ）」と、「長いもの（例えば２１ｍｍ）」と言う具合に大別することができる。本実施例の錠箱１は、ある程度の戸（少なくとも一定範囲の幅寸法の戸）に対応することができるようにケース深さ寸法Ｃの短いものを採用している。
【００１２】
（３）デッドボルト
デッドボルトは錠箱１の略中央部に設けられている。一般にデッドボルトは、ダルマ１７の駆動腕１６を介し、かつ、デッドボルト用案内窓１１，１１ａの開口端縁及び水平案内長孔１５に案内されて進退動する。
【００１３】
ところで、本実施例では、デッドボルトは、図３（ａ）、（ｂ）で示すようにデッドストロークＤの短い、或いはピン状スライド部の移動量が短いデッドボルト２０と、デッドストロークＤの長い、或いはピン状スライド部の移動量が長いデッドボルト２１との二種類がある。デッドストロークＤの差、ピン状スライド部の移動量の差等については後述する。ここではまず図４を参照にデッドボルト２０，２１の具体的構成を説明する。
【００１４】
３１はデッドボルト用案内窓１１，１１ａの開口端縁に案内されるブロック状係合頭部で、この係合頭部３１の側壁は正方形又は長方形をしている。３２は係合頭部３１の後端部の一側から水平状態に延びた板状胴部で、この板状胴部の上下端部は適宜直角方向に折曲げ形成された（連設する）下方の折曲壁部は、図示しないストッパー片の先端部と係合可能な係合壁３３と成っている。したがって、板状胴部３２の一部を断面にするとコ字型形状となる。
【００１５】
３４は板状胴部に連設する板状係合脚部で、この板状係合脚部３４の下方は水平方向にその後端面に至るまで切欠３５されている。一方、板状係合脚部３４の上方には、親指と人差し指とを上方に向けたような格好の第１係合部３６並びに第２係合部３７が対峙的に形成されている。なお、立ち上り状の第１係合部３６及び第２係合部３７は、ダルマ１７のカム的駆動腕１６が交互に当たる係合傾斜面３６ａ，３７ａを有する。さらに、板状係合脚部３４の側壁面には、ケース身２の水平案内長孔１５に係合するピン状スライド部３８が突設されている。
【００１６】
（４）デッドストロークＤの差、スライド部の移動量Ｍの差
ここで「デッドストロークＤの差」とは、図５及び図６で示すように錠箱（ケース身又はケース蓋）が同一寸法、特に「ケース深さ寸法Ｃ」が同一であるにも拘わらず、デッドボルト２０，２１の係合頭部３１の突出量が異なることを言う。本実施例では、図５はケース身２にデッドボルト２０を装着した場合であり、この場合にはデッドストロークＤは短い。これに対して図６はケース身２にテッドボルト２１を装着した場合であり、この場合にはデッドストロークＤは長い。
【００１７】
またここで「スライド部の移動量Ｍの差」とは、図３（ａ）、（ｂ）で示すようにケース身２の水平案内長孔１５が所定寸法であるにも拘わらず、デッドボルト２０，２１の各スライド部３８の水平移動距離が異なることを言う。本実施例では、図５のデッドボルト２０の場合には移動距離が短く、これに対して図６のテッドボルト２１の場合には移動距離が長い。このようにテットボルトのスライド部の移動量とデッドボルトの突出量は、互いに相関関係にある。
【００１８】
さらに、ここでは説明の便宜上「デッドの長さＤＬ」とは、デッドボルトの係合頭部３１の先端面３１ａから係合脚部のピン状スライド部３８の軸中心（案内される側の基準点）までの長さを言う。しかして、図３（ａ）と同図（ｂ）を対比すると明らかなように、水平案内長孔１５を移動するスライド部３８の移動量の少ないデッドボルト２０の方が、デッドの長さＤＬが短い。
このように本発明の第１実施例では、錠箱１のケース深さ寸法Ｃが同一であることを前提とし、デッドの長さＤＬが短いもの、長いものの二種類が選択的に用意されている。したがって、戸の構造、寸法、戸のデザインなど戸の条件如何に拘わらず、錠箱１が同一であることを前提としてデッドの長さＤＬが短いものか、又は長いものを選択してケース身２に装着される。
【００１９】
【実施例】
本発明の第１実施例では、錠箱１のケース身２にデッドボルト用の水平案内長孔１５を形成しているが、もちろん、ケース蓋３にも、或いはケース蓋の方に水平案内長孔１５Ａを形成しても良い。この場合には、デッドボルト２０，２１の板状係合脚部３４は、ケース蓋２の内面側に位置し、かつ、そのピン状スライド部が前記水平案内長孔１５Ａに係合する。なお、本実施例では、錠箱１の方に水平案内長孔１５（１５Ａ）を形成し、一方、デッドボルトの側壁にガイドピン（スライドピン）３８を突設しているが、もちろん、これを設計変更し、例えばデッドボルトの側壁に所定寸法の水平案内長孔１５（１５Ａ）を形成し、一方、錠箱１の方にガイドピン（スライドピン）３８を突設するような回避例は、本発明の実施例と同一ないし均等事項である。
【００２０】
【発明の効果】
以上の説明から明らかなように、本発明にあっては、錠箱の「ケース深さ寸法Ｃ」が同一であること、錠箱にシリンダー又はサムターン装着用嵌合孔が形成されていること、前記嵌合孔の下方の部位に形成されたデッドボルト用水平案内長孔が、案内されるスライド部の移動距離の長いデッドボルトにも対応する「所定の長さ」を有していること、係合頭部の先端面からスライド部の基準点までのデッドの長さＤＬが「短いもの」と、「長いもの」の二種類以上のデッドボルト２０，２１が選択的に錠箱１に装着されること、前記デッドボルト２０，２１のスライド部の移動量Ｍが異なること、というような構成要件を満足する錠箱とデッドボルトの組み合わせ構造なので、戸側の条件如何に拘わらず所定の錠箱を使用することができ、戸の形態に対応して錠箱を個別的に選択せざるを得ないような不都合を解消することができる。
【図面の簡単な説明】
図１乃至図６は本発明の一実施例を示す各説明図。図７はケース蓋に水平案内長孔を設けた場合の説明図。
【図１】錠箱の一例を示す分解斜視図。
【図２】ケース身の説明図。
【図３】（ａ）、（ｂ）は主要部材（二種類のデッドボルト）の説明図。
【図４】デッドボルトの斜視図。
【図５】デッドの長さＤＬが「短いデッドボルト」をケース身に装着した概略説明図。
【図６】デッドの長さＤＬが「長いデッドボルト」をケース身に装着した概略説明図。
【図７】ケース蓋に水平案内長孔を設けた場合の説明図。
【符号の説明】
１…錠箱、２…ケース身、３…ケース蓋、４…フロント、５…前壁、６…後壁、７…底壁、８…上壁、９…幅広側壁、１３，１３Ａ…嵌合孔、１４…ダルマ受座、１５，１５Ａ…水平案内長孔、１６…駆動腕、１７…ダルマ、１８…受座、２０，２１…デッドボルト、３１…係合頭部、３４…係合脚部、３８…スライド部、Ｂ…バックセット寸法、Ｃ…ケース深さ寸法、Ｄ…デッドストローク、Ｍ…移動距離。
【図１】
0004221162.tif 000002
【図２】
0004221162.tif 000003
【図３】
0004221162.tif 000004
【図４】
0004221162.tif 000005
【図５】
0004221162.tif 000006
【図６】
0004221162.tif 000007
【図７】
0004221162.tif 000008